(57)【要約】【課題】人の足に密着しやすく、使い易い磁気治療用足置きクッションを提供する。【解決手段】足置き用のクッション性を有するクッション体３０と、クッション体３０の内部に取付けられた磁場発生器１とからなる。磁場発生器１は、交番磁界発生手段と吸排気手段とを備えており、クッション体３０には、磁場発生器１に外気を送る吸気孔と磁場発生器内の空気を出す排気孔とを備えている。磁場発生器１が発生する磁界によって振動を生ずる部材が内包された振動体感板を備えている。【選択図】図１
0003117797.tif 000002
【実用新案登録請求の範囲】
【請求項１】
足置き用のクッション性を有するクッション体と、該クッション体の内部に取付けられた磁場発生器とからなる
ことを特徴とする磁気治療用足置きクッション。
【請求項２】
前記磁場発生器は、交番磁界発生手段と吸排気手段とを備えており、
前記クッション体には、前記磁場発生器に外気を送る吸気孔と前記磁場発生器内の空気を出す排気孔とを備えている
ことを特徴とする請求項１記載の磁気治療用足置きクッション。
【請求項３】
前記磁場発生器が発生する磁界によって振動を生ずる部材が内包された振動体感板を備えた
ことを特徴とする請求項１記載の磁気治療用足置きクッション。
【考案の詳細な説明】
【技術分野】
【０００１】
本考案は、磁気治療用足置きクッションに関する。さらに詳しくは、人の健康増進に用いる磁気治療用足置きクッションに関する。
【背景技術】
【０００２】
従来より健康器具としての磁気治療器はベッドに多数の磁場発生器を取付けた大形のものから、数個の磁場発生器を屈曲可能に連結しただけの小形のものまで、様々なタイプのものがある。後者の小形の磁気治療器としては特許文献１に記載のものがある。
この磁気治療器101は、図１０に示すように、複数個の磁場発生器111を互いに連結して本体を構成し、それに電源コード102とスイッチを備えた電源回路103とからなるものである。磁場発生器111自体はプラスチック製などの箱体とそれに入れられたコイル等からなり、交流磁界を発生する機能を有している。また、複数個の磁場発生器111相互の結合は、箱体に形成した蝶番によるもので、互いに一次元的な屈曲は可能となっている。しかし、二次元以上の自由な変形は不可能である。
【０００３】
以上の理由により、人体の任意の部分に巻き付けて使用することはできず、仮に巻き付けたとしても人体に密着しないので健康増進効果は薄かった。とくに人の足は直径が細い棒状なので、従来の磁気治療器は全く使えなかった。
【０００４】
【特許文献１】特開２００３‐２２２６６１号公報
【考案の開示】
【考案が解決しようとする課題】
【０００５】
本考案は上記事情に鑑み、人の足に密着しやすく、楽な姿勢で使い易い磁気治療用足置きクッションを提供することを目的とする。
【課題を解決するための手段】
【０００６】
第１考案の磁気治療用足置きクッションは、足置き用のクッション性を有するクッション体と、該クッション体の内部に取付けられた磁場発生器とからなることを特徴とする。
第２考案の磁気治療用足置きクッションは、第１発明において、前記磁場発生器は、交番磁界発生手段と吸排気手段とを備えており、前記クッション体には、前記磁場発生器に外気を送る吸気孔と前記磁場発生器内の空気を出す排気孔とを備えていることを特徴とする。
第３考案の磁気治療用足置きクッションは、第１発明において、前記磁場発生器が発生する磁界によって振動を生ずる部材が内包された振動体感板を備えたことを特徴とする。
【考案の効果】
【０００７】
第１考案によれば、磁場発生器を有するクッション体に足を載せるだけで磁場発生器を人の足に密着させることができるので楽な姿勢で足を治療することができる。
第２考案によれば、磁場発生器の有する吸排気手段を作動させると、クッション体の吸気孔を通じて外部の冷気を磁場発生器に取込んで冷却し、交番磁界発生手段から出た熱は排気孔より外部に排出できる。このため磁場発生器の熱が人体に伝わらないので、使用中に人が低温やけどすることはない。
第３考案によれば、クッション体内の磁場発生器が発生している交番磁界の影響を受けて、振動体感板内の磁石が振動するので、その振動を人が体感して、磁気治療を受けていることを実感することができる。
【考案を実施するための最良の形態】
【０００８】
つぎに、本考案の実施形態を図面に基づき説明する。
図１は本発明の第１実施形態に係る磁気治療用足置きクッションの斜視図である。図２は磁場発生器の天板を除いた状態の平面図である。図３は磁場発生器の側面断面図である。図４の（Ａ）図は第２実施形態に係る磁気治療用足置きクッションの斜視図、（Ｂ）図は第３実施形態に係る磁気治療用足置きクッション図、（Ｃ）図は振動体感板の使用説明図である。
【０００９】
図１に示すように、本実施形態の磁気治療用足置きクッションＤは、クッション体３０と磁場発生器１とを組合わせて構成されている。クッション体３０は、人が足を置くことができ、かつ適度なクッション性を与えることができればよく、任意の形状と大きさのクッションを用いてもよい。足を楽に載せる観点からいうと、足載せ面３２は緩い角度で傾斜しているのが好ましい。
なお、クッションシート型の磁気治療器と併用するときのため、シート体の下端部を嵌める溝３１を形成しておくのも好ましい。
材料面では、とくに制限なく公知の素材を利用でき、また、その製造は、一体成形その他の任意の方法を採用できる。
【００１０】
前記クッション体３０の内部には、磁場発生器１が埋め込まれている。この磁場発生器１を埋め込んだ部分のクッション体３０の外装生地は、磁界を有効に通過させる材料を用いるのが好ましい。
【００１１】
図２および３において、１は磁場発生器であり、１ｃはこの磁場発生器１を構成する箱体である。箱体１ｃは、底板２と天板３と４枚の側板４，５，６，７とから立方体に構成されている。なお、底板２は人体に当てる側の治療面である。
【００１２】
前記箱体１ｃの内部には、コイル１０などの交流磁界を発生させるための交番磁界発生手段が入れられている。なお、コイル１０以外にも配線などの部分も入っているが、図示は省略されている。
また、この実施形態では２個一組のコイル１０が４セット用いられているが、３セット以下のものも、５セット以上のものも、本考案に含まれる。
【００１３】
前記箱体１ｃの底板２の中央には、吸排気用のファン１１が取付けられている。このファン１１は、コイル１０と共通の電源で回転駆動される。そして、このファン１１には排気ガイド１２が接続されている。排気ガイド１２の先端は、一方の側板５に形成した排気孔１４から外部に臨んでいる。
【００１４】
一方、箱体１ｃの他方の側板４には、吸気孔１３が形成されている。この吸気孔１３は１個の大き目の孔でもよく、複数個の小さ目の孔であってもよい。
また、図示の例では、吸気孔１３は側板４のみであるが、他の側板５，６，７に設けてもよい。
要は、吸気の流れができるだけ多くのコイル１０に接触すればよいのである。
【００１５】
上記の吸排気手段によると、ファン１１を回転させると、給気孔１３から外部の冷気が入り、排気ガイド１２からコイル１０で発生した熱を含む空気を外部に導いて排気孔１４から排出するので、箱体１内は常時冷却される。このため、箱体１が熱を持たず、使用中に人に低温やけどをさせる事故を防止しうる。
【００１６】
図１に示すように、クッション体３０における磁場発生器１を埋め込んだ部分の横には、吸気通路３６と排気通路３７が形成されている。これらの吸気通路３６および排気通路３７は、いずれもトンネル状の孔で外気に通じており、吸気通路３６は磁気発生器１の吸気孔１３に連通し、排気通路３７は磁場発生器１の排気ガイド１２に連通している。
【００１７】
前記クッション体３０における吸気通路３６と排気通路３７の出入口は、網目生地で覆い、ホコリや異物の混入を防止することが好ましい。また、排気通路３７の出口付近には、芳香剤入りのカートリッジを取付けておけば、排気風によって匂いを飛ばして癒し効果を発揮することができる。
【００１８】
２８はコントローラであり、電源スイッチやタイマーを内蔵し、電源コード２７を接続している。このコントローラ２８はクッション体３０の適当な部位に、着脱自在に取付けたり、予め取付けておかれる。また、コントローラ２８を直接接続した磁場発生器１から他の磁場発生器１へは、クッション体３０に内蔵の電源コード２７で接続されている。このためクッション体３０に取付けた各磁場発生器１には、コントローラ２８から交流電流が供給される。
【００１９】
図４は（Ａ）図は第２実施形態に係る磁気治療用足置きクッションの斜視図である。
この実施形態では、クッション体３０の足載せ面３２に、足形の凹所３３が形成されており、足を安定した状態で置けるようになっている。
図４（Ｂ）図は第３実施形態に係る磁気治療用足置きクッション図である。
この実施形態では、クッション体３０の足載せ面３２に、ふくらはぎを載せる半円筒状の凹所３４が形成されており、ふくらはぎが安定して置きやすくなっている。
【００２０】
つぎに、本実施形態の使い方を説明する。
図５の（Ａ）図は椅子に座った人が足の裏を治療するときを示しており、このように椅子に座った楽な姿勢で治療することができる。（Ｂ）図はふくらはぎを治療するときの説明図であり、後述する高さ調整台３８でクッション体３０の傾斜角を大きくしている。この場合も、椅子に座って楽な姿勢で足を治療できる。
【００２１】
図６の（Ａ）図は寝た姿勢で足を治療するときを示しており、このように利用すると、最も楽な姿勢で足を治療できる。（Ｂ）図は上体を治療するときを示しており、このように利用すると上体の治療も可能である。（Ｃ）図は背中を治療するときを示しており、この状態では、クッション体３０を例えば壁などに立て掛けておくと、座イスのように使え、座りながら全身を磁気治療することができる。
【００２２】
図７の（Ａ）図はクッションシート型磁気治療器Ｃと併用して足置き型磁気治療器Ｄを使用するときの説明図である。クッションシート型磁気治療器Ｃは、３個のシート体２１，２２，２３からなり、各シート体あるいは一部のシート体に磁場発生器１が取付けられている。そして、シート体２１を背もたれに倒し掛け、シート体２２を座面に置き、シート体２３を座面の前に垂らすと、人が椅子に座るように座って磁気治療することができる。しかも、足置き型磁気治療器Ｄを椅子の前に置き、クッション体３０の溝３１にシート体２３の下端を嵌めると、互いに離間しないようにでき、足の裏も磁気治療することができる。このため、全身の治療に好適である。
【００２３】
図７の（Ｂ）図は、クッション体３０の裏に高さ調整台３８を置いた説明図である。このように高さ調整台３８を敷くと、足載せ面３２の傾斜角を大きくでき、椅子に座ってふくらはぎにクッション体３０を密着させやすくなる。
なお、高さ調整台３８は、使用しないときは、前記溝３１に差し込んでおけばよい。
【００２４】
図８はクッションシート型磁気治療器Ｃに寝て足を足置き型磁気治療器Ｄに載せて全身を治療するときの説明図である。このような利用の仕方も、全身を楽な姿勢で治療することができる。
【００２５】
図９において、４０は振動体感板である。この振動体感板４０は、板体４１の内部に形成した空洞４２に磁石４３を入れたものである。
空洞４２と磁石４３の個数は任意であるが、複数個の方が、後述するごとく振動を体感しやすくなる。
板体４１の材料はクッション体３０と同じものでよい。板体４１の形状や大きさは人の足を載せたり、背中をもたせかけたりできる程度でよい。また、板体４１の両端は突起状に形成しておくと、載せた足が外れなくて使いよいという利点がある。
【００２６】
この振動体感板４０を、図４の（Ｃ）図のように、クッション体３０の上に載せておくと、クッション体３０内の磁場発生器１が発生している交番磁界の影響を受けて、振動体感板４０内の磁石４３が振動するので、その振動を人の足が体感して、磁気治療を受けていることを実感することができる。
【図面の簡単な説明】
【００２７】
【図１】本発明の第１実施形態に係る磁気治療用足置きクッションの斜視図である。
【図２】磁場発生器の天板を除いた状態の平面図である。
【図３】磁場発生器の側面断面図である。
【図４】（Ａ）図は第２実施形態に係る磁気治療用足置きクッションの斜視図、（Ｂ）図は第３実施形態に係る磁気治療用足置きクッション図、（Ｃ）図は振動体感板の使用説明図である。
【図５】（Ａ）図は椅子に座った人が足の裏を治療するときの説明図、（Ｂ）図はふくらはぎを治療するときの説明図である。
【図６】（Ａ）図は寝た姿勢で足を治療するときの説明図、（Ｂ）図は上体を治療するときの説明図、（Ｃ）図は背中を治療するときの説明図である。
【図７】クッションシート型磁気治療器と併用して足置き型磁気治療器を使用するときの説明図である。
【図８】クッションシートに寝て足を治療するときの説明図である。
【図９】（Ａ）図は振動体感板の斜視図、（Ｂ）図は磁石埋入部分の断面図である。
【図１０】従来の磁気治療器の斜視図である。
【符号の説明】
【００２８】
１              磁場発生器
２０              足置きクッション
２１，２２，２３  シート体
２６              吸気通路
２７              排気通路
２８              コントローラ
【図１】
0003117797.tif 000003
【図２】
0003117797.tif 000004
【図３】
0003117797.tif 000005
【図４】
0003117797.tif 000006
【図５】
0003117797.tif 000007
【図６】
0003117797.tif 000008
【図７】
0003117797.tif 000009
【図８】
0003117797.tif 000010
【図９】
0003117797.tif 000011
【図１０】
0003117797.tif 000012